(57)【要約】【課題】  口、鼻を覆うときに、隙間が開かないようにして位置決めが簡単にできるようして、酸素が漏れ難く酸素の無駄を少なくできるようにし、また鼻に近づけ過ぎても、鼻孔から酸素が入り易くできるようにした酸素ガス吸入用アタッチメントを提供する。【解決手段】  開口部２を有し、鼻の一部に沿う接触部３を有した本体１に、酸素缶４から噴射された酸素ガスの吸入を妨げないようにした空間５を設けると共に、酸素缶４の酸素ガス噴射部への取付け部８を設けたものとしている。【選択図面】    図１
2006014894.tif 000002
【特許請求の範囲】
【請求項１】
開口部（２）を有し、鼻の一部に沿う接触部（３）を有した本体（１）に、酸素缶（４）から噴射された酸素ガスの吸入を妨げないようにした空間（５）を設けると共に、酸素缶（４）の酸素ガス噴射部への取付け部（８）を設けたことを特徴とする酸素ガス吸入用アタッチメント。
【請求項２】
前記本体（１）は、内側面に柔軟性部材（１０）を取り付けたものとしたことを特徴とする請求項１記載の酸素ガス吸入用アタッチメント。
【請求項３】
前記本体（１）は、開口部（２）の周囲を嵌着部とし、その開口部（２）を酸素缶（４）の上部に嵌着しておけるようにしたことを特徴とする請求項１記載の酸素ガス吸入用アタッチメント。
【請求項４】
前記取付け部（８）は、酸素缶（４）の酸素ガス噴出部に直接的に、もしくは間接的に設けられるものとしたことを特徴とする請求項１記載の酸素ガス吸入用アタッチメント。
【発明の詳細な説明】
【技術分野】
【０００１】
この発明は、酸素缶に充填された酸素ガスを吸入するのに用いられる酸素ガス吸入用アタッチメントに関するものである。
【背景技術】
【０００２】
従来、この種の酸素ガス吸入用アタッチメントとしては、図１３に示したように、本体２２の基部に設けた穴に吸入用酸素缶２１のノズル２３を挿入し、本体２２のラッパ状に開いた部分を口元に押し当てて吸入することができるようにしたものが存在する。そのため、この酸素ガス吸入用アタッチメントは、酸素ガスを無駄なく吸引することができるとしている（特許文献１）。
【０００３】
さらに、この種の酸素ガス吸入用アタッチメントとしては、図１４に示したように、酸素缶３１の噴射弁作動栓３２に突設した横向きのガス噴射口３３に、着脱可能に嵌着固定した吸引マスク３４としたものが存在する。そして、この吸引マスク３４の内面には、香り付きラベル３５が取り替え可能に貼着したものとしている。そのため、この酸素ガス吸入用アタッチメントは、酸素ガス吸引時に口、鼻を覆うから、吸引マスク３４内に放散された香りを酸素ガスとともに吸引することになるとしている（特許文献２）。
【特許文献１】特開平９−３２２９３９号公報（第２頁、図１）
【特許文献２】特開２０００−３３１２０号公報（第２頁、図１）
【発明の開示】
【発明が解決しようとする課題】
【０００４】
しかしながら、上記従来の酸素ガス吸入用アタッチメントは、酸素吸引時に口、鼻を覆うものとしているが、その形状には特に工夫を凝らしていないので、口、鼻を覆うときに隙間が開かないように位置決めするのが難しく、酸素が漏れて無駄になるという問題点を有していた。
【０００５】
また、上記従来の酸素ガス吸入用アタッチメントは、鼻に近づけ過ぎた場合には酸素の存在空間が狭められ、その結果、鼻孔から酸素が入り難くなるという問題点を有していた。
【０００６】
そこで、この発明は、上記従来の問題点を解決することをその課題としており、形状に独特の工夫を凝らすことにより、口、鼻を覆うときに、隙間が開かないように位置決めが簡単にできるようして、酸素が漏れ難く酸素の無駄を少なくできるようにし、また鼻に近づけ過ぎても、鼻孔から酸素が入り易くできるようにした酸素ガス吸入用アタッチメントを提供することを目的としてなされたものである。
【課題を解決するための手段】
【０００７】
そのため、この発明の酸素ガス吸入用アタッチメントは、開口部２を有し、鼻の一部に沿う接触部３を有した本体１に、酸素缶４から噴射された酸素ガスの吸入を妨げないようにした空間５を設けると共に、酸素缶４の酸素ガス噴射部への取付け部８を設けたものとしている。
【０００８】
この発明の酸素ガス吸入用アタッチメントにおいて、前記本体１は、内側面に柔軟性部材１０を取り付けたものとするのが好ましい。
【０００９】
この発明の酸素ガス吸入用アタッチメントにおいて、前記本体１は、開口部２の周囲を嵌着部とし、その開口部２を酸素缶４の上部に嵌着しておけるようにして、酸素缶４のキャップとして兼用できるものにするのが好ましい。また、この場合、本体１と酸素缶４の間にはバージンシールなどの不正開封防止手段を設けたものとしてもよい。
【００１０】
この発明の酸素ガス吸入用アタッチメントにおいて、前記接触部３は、鼻背、鼻側部、鼻尖、鼻中隔などの鼻の一部に沿うようにしておればよく、その形状は任意である。
【００１１】
この発明の酸素ガス吸入用アタッチメントにおいて、前記空間５は、本体１の内部の少なくとも一部とすればよく、その形状は任意である。
【００１２】
この発明の酸素ガス吸入用アタッチメントにおいて、前記取付け部８は、酸素缶４の酸素ガス噴出部（噴射ノズル６、ステム１１など）に直接的に、もしくはチューブなどを介し間接的に設けられるものとしており、酸素ガスの噴射を妨げない限り、形状、大きさなどは任意である。
【００１３】
この発明の酸素ガス吸入用アタッチメントにおいて、前記酸素ガスは、酸素単独としても、酸素に不燃性ガス（窒素、二酸化炭素など）を人体に影響がない程度に混合してもよい。なお、酸素に不燃性ガスを混合する場合は、酸素効果が維持されるように不燃性ガスが混合されているのは言うまでもない。
【発明の効果】
【００１４】
この発明の酸素ガス吸入用アタッチメントは、以上に述べたように構成されているので、口、鼻を覆うときに、隙間が開かないように位置決めが簡単にできるものとなり、酸素ガスが漏れ難く酸素ガスの無駄を少なくでき、また鼻に近づけ過ぎても、鼻孔から酸素ガスが入り易くできるものとなった。
【発明を実施するための最良の形態】
【００１５】
以下、この発明の酸素ガス吸入用アタッチメントを実施するための最良の形態について詳細に説明する。
【００１６】
図１は、この発明の酸素ガス吸入用アタッチメントの第１実施形態を示しており、本体１を略半円錐形状の中空体とし、側面を開口して略三角形状の開口部２とし、斜面を鼻の一部に沿う接触部３としている。この接触部３は、使用者の鼻背、または鼻背と鼻側部に沿うようにしている。本体１の中空下部は、酸素缶４から噴射された酸素ガスの吸入を妨げないようにした空間５としている。本体１の底面には、酸素缶４の酸素ガス噴射部である噴射ノズル６が設けられた押しボタン７の下部への取付け部８が設けられている。この取付け部８は、嵌合溝や嵌合孔としており、押しボタン７の周囲に嵌合するようにしている。押しボタン７の噴射ノズル６は、本体１の開口部２から本体１の内部に向けて酸素ガスを噴射するようにしている。なお、酸素ガスの噴射操作は、前記押しボタン７の底部に基端が連結されたレバー９の先端を押圧操作することにより行われる。
【００１７】
図２は、この発明の酸素ガス吸入用アタッチメントの第２実施形態を示しており、本体１の内側面にスポンジなどの柔軟性部材１０を取り付けたものとしている以外は、第１実施形態と同様に構成している。なお、この第２実施形態では、押しボタン７の噴射ノズル６を上方に向けたものとしており、本体１の中空下部から本体１の中空上部に向けて酸素ガスを噴射するようにしている。本体１の内側面に柔軟部材１０を取り付けたものとすると、使用者の鼻背や鼻側部がこの柔軟性部材１０に当接して、この柔軟性部材１０が使用者の鼻背や鼻側部に沿うように変形するので、使用者の鼻により沿わせ易いものとなると共に、使用者の鼻に沿わせたときの感触を柔らかくすることができる。
【００１８】
図３は、この発明の酸素ガス吸入用アタッチメントの第３実施形態を示しており、押しボタン７の噴射ノズル６が、本体１の内部から本体１の開口部２に向けて酸素ガスを噴射するようにしている以外は、第１実施形態と同様に構成している。なお、この第３実施形態においても、本体１の内側面に柔軟部材１０を取り付けたものとすることができる。
【００１９】
図４ａは、この発明の酸素ガス吸入用アタッチメントの第４実施形態を示しており、本体１を略半楕円錐形状の中空体とし、側面を開口して略三角形状の開口部２とし、斜面を鼻の一部に沿う接触部３としている。この接触部３は、使用者の鼻背、または鼻背と鼻側部に沿うようにしている。本体１の中空下部は、酸素缶４から噴射された酸素ガスの吸入を妨げないようにした空間５としている。本体１の一斜辺の下部には、酸素缶４の酸素ガス噴射部である噴射ノズル６が設けられた押しボタン７への取付け部８が設けられている。この取付け部８は、略円筒体としており、押しボタン７の下半部を包囲すると共に、酸素缶４の上部に支持されたものとし、さらに噴射ノズル６の噴射口１１を設けたものとしている。押しボタン７の噴射ノズル６は、噴射口１１から本体１の開口部２に向けて酸素ガスを噴射するようにしている。酸素ガスの噴射操作は、前記下半部が包囲された押しボタン７の上半部を押圧することにより行われる。また、前記本体１は、略三角形状の開口部２の三辺のそれぞれに円弧状に膨出させた嵌合部２ａを設けたものとし、図４ｂに示したように、押しボタン７から外して、その嵌合部２ａを酸素缶４の上部に嵌着しておけるようにして、酸素缶４のキャップとして兼用できるものとしている。なお、この第４実施形態においても、本体１の内側面に柔軟部材１０を取り付けたものとすることができる。
【００２０】
図５ａは、この発明の酸素ガス吸入用アタッチメントの第５実施形態を示しており、本体１を略斜円錐台を横にした形状の中空体とし、後面を開口して略円形の開口部２とし、斜面を鼻の一部に沿う接触部３としている。この接触部３は、使用者の鼻背、または鼻背と鼻側部に沿うようにしている。また、接触部３の対向面付近は、酸素缶４から噴射された酸素ガスの吸入を妨げないようにした空間５としている。さらに、前記対向面には、酸素缶４の酸素ガス噴射部である噴射ノズル６が設けられた押しボタン７への取付け部８が設けられている。この取付け部８は、嵌合孔としており、押しボタン７の周囲に嵌合するようにしている。押しボタン７の噴射ノズル６は、本体１の内部から本体１の開口部２に向けて酸素ガスを噴射するようにしている。酸素ガスの噴射操作は、前記押しボタン７の底部に基端が連結されたレバー９の先端を押圧操作することにより行われる。また、前記本体１は、開口部２の周囲を嵌着部としたものとし、図５ｂに示したように、押しボタン７から外して、その開口部２を酸素缶４の上部に嵌着しておけるようにして、酸素缶４のキャップとして兼用できるものとしている。なお、この第５実施形態においても、本体１の内側面に柔軟部材１０を取り付けたものとすることができる。
【００２１】
図６は、この発明の酸素ガス吸入用アタッチメントの第６実施形態を示しており、本体１の上部を略半円錐形状とし、本体１の下部を、側面を下に向けた略半円柱を二列に並べた形状とした中空体とし、側面を開口して略ハート形状の開口部２とし、斜面を鼻の一部に沿う接触部３としている。この接触部３は、使用者の鼻背、または鼻背と鼻側部に沿うようにしている。本体１の内側下部は、酸素缶４から噴射された酸素ガスの吸入を妨げないようにした空間５としている。すなわち、この空間５は、前記二列に並べた略半円柱の中空部分となる。本体１の一斜辺の下部には、酸素缶４の酸素ガス噴射部である噴射ノズル６に連結された伸縮チューブ１２の先端への取付け部８が設けられている。この取付け部８は、伸縮チューブ１２を嵌合する孔としている。伸縮チューブ１２は、その先端から本体１の開口部２に向けて酸素ガスを噴射するようにしている。酸素ガスの噴射操作は、押しボタン７を押圧することにより行われる。なお、この第６実施形態においても、本体１の内側面に柔軟部材１０を取り付けたものとすることができる。
【００２２】
図７は、この発明の酸素ガス吸入用アタッチメントの第７実施形態を示しており、本体１を略半円錐形状の中空体とし、側面を開口して略三角形状の開口部２とし、斜面を鼻の一部に沿う接触部３としている。この接触部３は、使用者の鼻背、または鼻背と鼻側部に沿うようにしている。本体１の内側下部は、酸素缶４から噴射された酸素ガスの吸入を妨げないようにした空間５としている。本体１の一斜辺の下部には、酸素缶４の酸素ガス噴射部である噴射ノズル６への取付け部８が設けられている。この取付け部８は、嵌合孔としており、噴射ノズル６に嵌合するものとしている。この噴射ノズル６は、本体１の内部から本体１の開口部２に向けて酸素ガスを噴射するようにしている。酸素ガスの噴射操作は、押しボタン７を押圧することにより行われる。なお、この第７実施形態においても、本体１の内側面に柔軟部材１０を取り付けたものとすることができる。
【００２３】
図８は、この発明の酸素ガス吸入用アタッチメントの第８実施形態を示しており、本体１を略半円錐形状の中空体とし、側面を開口して略三角形状の開口部２とし、斜面を鼻の一部に沿う接触部３としている。この接触部３は、使用者の鼻背、または鼻背と鼻側部に沿うようにしている。本体１の中空下部は、酸素缶４から噴射された酸素ガスの吸入を妨げないようにした空間５としている。本体１の底面には、酸素缶４の酸素ガス噴射部であるステム１３への取付け部８が設けられている。この取付け部８は、嵌合溝や嵌合孔としており、ステム１３の先端に嵌合するものとしている。酸素ガスの噴射操作は、前記ステム１３に基端が連結されたレバー９の先端を押圧操作することにより行われる。なお、この第８実施形態においても、本体１の内側面に柔軟部材１０を取り付けたものとすることができる。
【００２４】
図９は、この発明の酸素ガス吸入用アタッチメントの第９実施形態を示しており、チルト式バルブを採用することにより、ステム１３に連結されたレバー９を無くしたものとしている以外は、第８実施形態と同様に構成している。この第９実施形態では、チルト式バルブを採用しているので、酸素ガスの噴射操作は、ステム１３を横方向に傾けるだけで行うことができる。すなわち、使用者が本体１に鼻を押し付け、ステム１３を横方向に傾けるだけで酸素吸入が可能になる。
【００２５】
図１０ａは、この発明の酸素ガス吸入用アタッチメントの第１０実施形態を示しており、本体１を略三角錐台を横にした形状の中空体とし、後面を開口して略三角形状の開口部２とし、斜面を鼻の一部に沿う接触部３としている。この接触部３は、使用者の鼻背、または鼻背と鼻側部に沿うようにしている。本体１の中空下部は、酸素缶４から噴射された酸素ガスの吸入を妨げないようにした空間５としている。本体１の底面には、酸素缶４の酸素ガス噴射部であるステム１３への取付け部８が設けられている。この取付け部８は、嵌合孔としており、ステム１３の先端に嵌合するものとしている。酸素ガスの噴射操作は、本体１の前面に形成された指挿入孔１４から指を挿入し、本体１の底面の押圧部１５を押圧操作することにより行われる。また、前記本体１は、略三角形状の開口部２の三辺のそれぞれに円弧状に膨出させた嵌合部２ａを設けたものとし、図１０ｂに示したように、ステム１３から外して、その嵌合部２ａを酸素缶４の上部に嵌着しておけるようにして、酸素缶４のキャップとして兼用できるものとしている。なお、この第１０実施形態においても、本体１の内側面に柔軟部材１０を取り付けたものとすることができる。
【００２６】
図１１ａは、この発明の酸素ガス吸入用アタッチメントの第１１実施形態を示しており、チルト式バルブを採用することにより、本体１の前面の指挿入孔１４や本体１の底面の押圧部１５を無くしたものとしている以外は、第１０実施形態と同様に構成している。この第１１実施形態では、チルト式バルブを採用しているので、酸素ガスの噴射操作は、ステム１３を横方向に傾けるだけで行うことができる。すなわち、使用者が本体１に鼻を押し付け、ステム１３を横方向に傾けるだけで酸素吸入が可能になる。
【００２７】
図１２ａ〜１２ｄは、この発明の酸素ガス吸入用アタッチメントの第１２〜１５実施形態を示しており、それぞれ本体１の形状のみ示しており、酸素缶４の酸素ガス噴射部への取付け部８の構造を省略したものとしている。図１２ａは、本体１を略三角錐形状の中空体とし、底面を開口して三角形状の開口部２とし、隣り合う少なくとも二つの内側面に一条または複数条のリブ１６を形成し、これらリブ１６を使用者の鼻背や鼻側部など鼻の一部に沿う接触部３としている。図１２ｂは、本体１を略四角錐形状の中空体とし、底面を開口して四角形状の開口部２とし、隣り合う少なくとも二つの内側面に一条または複数条のリブ１６を形成し、これらリブ１６を使用者の鼻背や鼻側部など鼻の一部に沿う接触部３としている。図１２ｃは、本体１を略五角錐形状の中空体とし、底面を開口して五角形状の開口部２とし、隣り合う少なくとも二つの内側面に一条または複数条のリブ１６を形成し、これらリブ１６を使用者の鼻背や鼻側部など鼻の一部に沿う接触部３としている。図１２ｄは、本体１を略六角錐形状の中空体とし、底面を開口して六角形状の開口部２とし、隣り合う少なくとも二つの内側面に一条または複数条のリブ１６を形成し、これらリブ１６を使用者の鼻背や鼻側部など鼻の一部に沿う接触部３としている。また、図１２ａ〜１２ｄに示したそれぞれの本体１の中空下部は、酸素缶４から噴射された酸素ガスの吸入を妨げないようにした空間５としている。酸素ガス噴射部への取付け部８は、何れの実施形態においても、前記第１〜１１実施形態と同様の構造として実施することができる。なお、これら第１２〜１５実施形態においても、本体１の内側面に柔軟部材１０を取り付けたものとすることができる。
【００２８】
この発明の酸素ガス吸入用アタッチメントは、以上のように構成されており、使用者の口、鼻を覆えば、接触部３が使用者の鼻の一部に沿うので、隙間が開かないように位置決めが簡単にできるものとなり、酸素ガスが漏れ難く酸素ガスの無駄を少なくでき、また酸素缶４から噴射された酸素ガスの吸入を妨げないようにした空間５を設けたものとしているので、鼻に近づけ過ぎても鼻孔から酸素ガスが入り易くできるものとなった。
【図面の簡単な説明】
【００２９】
【図１】この発明の酸素ガス吸入用アタッチメントの第１実施形態を酸素缶に取り付けた状態を示す説明図である。
【図２】この発明の酸素ガス吸入用アタッチメントの第２実施形態を酸素缶に取り付けた状態を示す説明図である。
【図３】この発明の酸素ガス吸入用アタッチメントの第３実施形態を酸素缶に取り付けた状態を示す説明図である。
【図４ａ】この発明の酸素ガス吸入用アタッチメントの第４実施形態を酸素缶に取り付けた状態を示す説明図である。
【図４ｂ】図４ａの酸素ガス吸入用アタッチメントを酸素缶のキャップとして用いた状態を示す説明図である。
【図５ａ】この発明の酸素ガス吸入用アタッチメントの第５実施形態を酸素缶に取り付けた状態を示す説明図である。
【図５ｂ】図５ａの酸素ガス吸入用アタッチメントを酸素缶のキャップとして用いた状態を示す説明図である。
【図６】この発明の酸素ガス吸入用アタッチメントの第６実施形態を酸素缶に取り付けた状態を示す説明図である。
【図７】この発明の酸素ガス吸入用アタッチメントの第７実施形態を酸素缶に取り付けた状態を示す説明図である。
【図８】この発明の酸素ガス吸入用アタッチメントの第８実施形態を酸素缶に取り付けた状態を示す説明図である。
【図９】この発明の酸素ガス吸入用アタッチメントの第９実施形態を酸素缶に取り付けた状態を示す説明図である。
【図１０ａ】この発明の酸素ガス吸入用アタッチメントの第１０実施形態を酸素缶に取り付けた状態を示す説明図である。
【図１０ｂ】図１０ａの酸素ガス吸入用アタッチメントを酸素缶のキャップとして用いた状態を示す説明図である。
【図１１ａ】この発明の酸素ガス吸入用アタッチメントの第１１実施形態を酸素缶に取り付けた状態を示す説明図である。
【図１１ｂ】図１１ａの酸素ガス吸入用アタッチメントを酸素缶のキャップとして用いた状態を示す説明図である。
【図１２ａ】この発明の酸素ガス吸入用アタッチメントの第１２実施形態を示す説明図である。
【図１２ｂ】この発明の酸素ガス吸入用アタッチメントの第１３実施形態を示す説明図である。
【図１２ｃ】この発明の酸素ガス吸入用アタッチメントの第１４実施形態を示す説明図である。
【図１２ｄ】この発明の酸素ガス吸入用アタッチメントの第１５実施形態を示す説明図である。
【図１３】従来の酸素ガス吸入用アタッチメントを酸素缶に取り付けた状態を示す側面図である。
【図１４】従来の酸素ガス吸入用アタッチメントを酸素缶に取り付けた状態を一部破断して示す側面図である。
【符号の説明】
【００３０】
１  本体
２  開口部
３  接触部
４  酸素缶
５  空間
８  取付け部
１０  柔軟性部材
【図１】
2006014894.tif 000003
【図２】
2006014894.tif 000004
【図３】
2006014894.tif 000005
【図４ａ】
2006014894.tif 000006
【図４ｂ】
2006014894.tif 000007
【図５ａ】
2006014894.tif 000008
【図５ｂ】
2006014894.tif 000009
【図６】
2006014894.tif 000010
【図７】
2006014894.tif 000011
【図８】
2006014894.tif 000012
【図９】
2006014894.tif 000013
【図１０ａ】
2006014894.tif 000014
【図１０ｂ】
2006014894.tif 000015
【図１１ａ】
2006014894.tif 000016
【図１１ｂ】
2006014894.tif 000017
【図１２ａ】
2006014894.tif 000018
【図１２ｂ】
2006014894.tif 000019
【図１２ｃ】
2006014894.tif 000020
【図１２ｄ】
2006014894.tif 000021
【図１３】
2006014894.tif 000022
【図１４】
2006014894.tif 000023